(57)【要約】      （修正有）【課題】施工作業現場で盛土又は擁壁を作る時、寸法測定、寸法調整、溶接、ボルト締め、等の面倒な作業を省き、壁面材やパネルに自立性を持たせる。【解決手段】壁面１が横方向に複数個並んだ形のパネルで、各長方形の壁面の間に縦方向に上端から下端まで垂直の溝の開口部で両縁が突き合わされる形状２を作り、その溝の開口部、或いは両縁が突き合った近傍の裏面間の寸法が溝の奥の裏面間の寸法より狭くなる溝を有すパネル、及び帯状の板に一定の間隔で垂直方向に溝の開口部で両縁が突き合わされる形状を有し、その溝の開口部近傍の裏面の幅が後方に飛び出た奥の裏面の幅より狭くなっているパネル３と、これらパネルの溝の裏面に沿って溝方向に差し込む事により、溝方向と垂直な方向には外れなくなる様に、断面がＣチャンの様にＣ字状でしかも開口幅が奥より狭くなった端部を一組の対辺に有す長方形のジョイントパネル４を組み合わせる。【選択図】図４
2006118335.tif 000002
【特許請求の範囲】
【請求項１】
前面が一部又は全体に凸状に成形された長方形の壁面が横方向に複数個並んだ形のパネルで、各長方形の壁面の間の部分に縦方向に上端から下端まで垂直の溝、或いは溝の開口部で両縁が突き合わされる形状を作り、その溝の開口部、或いは開口部両縁が突き合った近傍の裏面間の寸法が後方に飛び出た裏面間の寸法より小さくなる形状の前面パネル、或いは単に帯状の板に一定の間隔で垂直方向に溝、或いは溝の開口部で両縁が突き合わされる形状を有し、その溝の開口部、或いは開口部両縁が突き合った近傍の裏面間の寸法が後方に飛び出た裏面間の寸法より小さくなっているパネルと、これらパネルの溝、或いは溝開口部両縁が突き合った近傍の裏面に沿って差し込む事により、溝方向と垂直な面方向には外れなくなる様に、断面がＣチャンの様にＣ字状でしかも開口幅が奥より狭くなった端部を一組の対辺に有す長方形の連結パネルを組み合わせる事により盛土の出来る、或いは擁壁を作る事が出来る盛土工法用パネル。
【請求項２】
請求項１記載のパネル組立を横方向に直線的、或いは曲線的にならべる事によりパネル高さの盛土が出来、複数段にも積む事が出来、複数段にする際には各段毎に後方にずらせば土砂崩れ防止の強度が更に増す擁壁盛土工法。
【請求項３】
長方形の単位壁面が縦方向上端から下端まで通しては少なくとも一部は凹凸がある様に成形され複数個横方向につながり、長方形の各壁面の間に直線的縦方向に溝、或いは溝の開口部で両縁が突き合わされる形状で縦方向には凹凸の無い形状を有し、その溝の開口部、或いは両縁が突き合った近傍の裏面の幅が溝の奥の裏面の幅より狭くなる形状を有す盛土工法用パネル
【発明の詳細な説明】
【技術分野】
【０００１】本発明は土砂を積み上げる際、土砂が崩れ落ちる事を防止する為の盛土工法、及び盛土工法用パネルに関する。
【背景技術】
【０００２】崩れ易い地盤、及び盛り土法面部の幅地が無い場所においては気泡混合土を用い、従来の方法としては、基礎コンクリートにアングル等で支柱をある間隔毎に立て、支柱間に長方形の板状の壁面材をはめ込み連結金具で支柱と連結させ、壁面材の後ろ側に気泡混合盛り土が充填され擁壁を構成していた（例えば、特開２０００−２２０１５６号公報）。【０００３】或いは長方形の板状に形成された壁面材と、この壁面材の裏面の横方向中間の少なくとも１個所に締結部材にて固着される組立金具とからなり、組立金具は、壁面材の縦方向寸法と略同じ高さで、かつ平行の上面と下面を有する上側部材と下側部材を有し、両部材の同一位置に締結部材用の結合部を設けた構成になっており、壁面材の裏側に組立金具を締結部材にて固着する事により擁壁用パネルとしていた（例えば、特開２００４−２３８９８４）
【発明の開示】
【発明が解決しようとする課題】
【０００４】従来の工法は支柱の基礎が地にしっかり固着させねばならない事、支柱間の寸法精度が出ないと壁面材の板状の物が支柱に連結され難い事、また壁面材を積み上げるのに作業効率が悪い事、締結部材を各壁面材、或いは支柱毎に締結しなければならない事等、問題が在った。
上記の各種問題に鑑み、施工作業現揚で寸法測定、寸法調整、溶接、ボルト締め、等の面倒な作業を省き、壁面材やパネルに自立性を持たせるのが課題である。
【課題を解決する為の手段】
【０００５】本発明は上記課題を解決する為になされた物で、前面が一部又は全体に凸状に成形された長方形の壁面が横方向に複数個並んだ形のパネルで、各長方形の壁面の間の部分に縦方向に上端から下端まで垂直の溝、或いは溝の開口部で両縁が突き合わされる形状を作り、その溝の開口部、或いは開口部両縁が突き合った近傍の裏面間の寸法が溝の奥の裏面間の寸法より小さくなる形状の前面パネル、或いは単に帯状の板に一定の間隔で垂直方向に溝、或いは溝の開口部で両縁が突き合わされる形状を有し、その溝の開口部、或いは開口部両縁が突き合った近傍の裏面間の寸法が溝の奥の裏面間の寸法より小さくなっているパネルと、これらパネルの溝、或いは溝開口部両縁が突き合った近傍の裏面に沿って差し込む事により、溝方向と垂直な面方向には外れなくなる様に、断面がＣチャンの様にＣ字状でしかも開口幅が奥より狭くなった端部を一組の対辺に有す長方形の連結パネルを組み合わせる事により盛土の出来る、或いは擁壁用盛土工法用パネルとなる。
【０００６】また上記のパネル組立を横方向に直線的、或いは曲線的にならべる事によりパネル高さの盛り土が出来、複数段にする際には各段毎に後方にずらす事により土砂の崩れを防止する強度を更に増す事できる盛土工法となる。
【発明の効果】
【０００７】本発明を採用する事により、施工作業現場で寸法測定、寸法調整、溶接、ボルト締め、等の面倒な作業を省く事が出来、すこぶる効率の良い施工が出来ると同時に溶接、締結材等の金属の錆発生の心配も無くする事が出来、耐久性も向上させる事が出来る。
【発明を実施する為の最良の形体】
【実施例】
【０００８】本発明の盛土工法、及び盛土工法用パネルの実施例として図１から図５を用い説明する。
図１（ａ）の長方形の前面パネル単位壁面１がＸ−Ｘ’の断面図図１（ｄ）にある様に全面に凸に成形され複数個横方向につながり、図１（ｃ）に見られるように長方形の各壁面の間に溝の開口部で両縁が突き合わされる形状２を有し、溝の両縁が突き合った近傍の裏面の幅が溝の奥の裏面の幅より狭くなる形状を有す。
長方形の単位壁面１が連続的に繋がらない横方向の端面はもう一つの横方向反対側の端面、または別の同様な形状のパネルの端面と突き合わせた時に、連続的に単位壁面の境界にある形状２と同じ形状となる様、図１（ｃ）２’に示す形状をしている。【０００９】一方、図２に示す様に後方単位面３に一定の間隔で溝の開口部で両縁が突き合わされる形状２と端部に形状２’を有し、その溝の開口部近傍の裏面間の寸法が溝の奥の裏面間の寸法より狭くなっている図２パネルも用意する。【００１０】これら図１のパネルと図２のパネルの溝の裏面に沿って溝方向に差し込む事により、溝方向と垂直な方向には外れなくなる断面が図３のジョイントパネル面４にある様にＣ字状で開口部が奥より狭くなっている端部、ジョイントパネルＣチャン部５を一組の対辺に有す長方形の連結パネルを組み合わせる事により盛土、或いは擁壁の出来る盛土工法用パネル組立の組んだ状態の平面図を図４に示す。【００１１】図４上では上方が前面、下方が後方とすると、前面パネル単位壁面１と後方パネル単位面３とジョイントパネル面４に囲まれる部分、及び後方パネル単位面３の後方には土砂が入る。
図４に示す様に後方にも土砂がある。この土砂、または盛り土高さを高くする為には下の段よりも上の段を多少後方にずらす事により盛り土の崩れに対する安定度を増す事が出来る。
その場合、ずらす事により各段上面に出来る土砂面に植栽し強度を増したり、意匠をよくする事も可能となる。
また溝、或いは単位長方形の境界は縦方向に沿った曲げに対しては一般に曲げが可能でフレキシビリティがあるし、またパネルの材料としてフレキシビリティのある物を選択すれば図５に平面図で示す様な組立も可能となる。
【産業上利用の可能性】
【００１２】自明ゆえ説明は省略
【図面の簡単な説明】
【００１３】
【図１】（ａ）正面図  前面パネルの正面図。
【図１】（ｂ）側面図  前面パネルの側面図
【図１】（ｃ）平面図  前面パネルの平面図
【図１】（ｄ）断面図  前面パネル図１（ａ）中に示すＸ−Ｘ’で切断した時の断面図
【図２】（ａ）正面図  後方パネルの正面図。
【図２】（ｂ）側面図  後方パネルの側面図
【図２】（ｃ）平面図  後方パネルの平面図
【図３】（ａ）正面図  ジョイントパネルの正面図。
【図３】（ｂ）側面図  ジョイントパネルの側面図
【図３】（ｃ）平面図  ジョイントパネルの平面図
【図４】平面図  本発明の盛土用パネル組立の組立状況と土砂を入れた状態を示す平面図。
【図５】平面図  本発明の盛土用パネル組み立てろ土砂を入れた状態を示す図４とは別の使用法例を示す平面図。
【符号の説明】
【００１４】１  前面パネル単位壁面
２  溝開口部が突き合った部分
２’  前面、及び後方パネルの端部
３  後方パネル単位面
４  ジョイントパネル面
５  ジョイントパネルＣチャン部
６  土砂
【図１】
2006118335.tif 000003
【図２】
2006118335.tif 000004
【図３】
2006118335.tif 000005
【図４】
2006118335.tif 000006
【図５】
2006118335.tif 000007